(57)【要約】【課題】ユーザが自分の指爪画像を所望のネイルデザインとともに送るだけで、簡易にユーザ本人の爪部の形状に合い、かつ、好みのネイルデザインの施された合成爪画像の提供及び付け爪（ネイルチップ）の提供を受けることのできる付け爪サービス提供装置及び端末装置を提供する。【解決手段】１０円コインを含むユーザの指爪画像と、ユーザが指定したネイル形状のデータ及びネイルデザインのデータとを、ユーザ情報としてユーザの携帯電話機１ｂ等から送信すると、付け爪サービス提供装置３は、これらを受信した後に、爪部形状検出部４１１にて、その受信した指爪画像に基づき爪部形状を検出する一方で、合成爪画像生成部４１２にて、この検出された爪部形状にユーザが指定したネイルデザインを合わせ込み、ユーザの爪部形状に応じた合成爪画像を生成する。そして、この合成爪画像に基づき、プリンタ３ｂにて、付け爪を生成する。【選択図】図９
2012232042.tif 000002
【特許請求の範囲】
【請求項１】
寸法の基準となる基準対象物とともにユーザの爪部を含む指爪を撮影した指爪画像と、ユーザが指定したネイルデザインを示すネイルデザインデータとを外部機器からユーザ情報として受信するユーザ情報受信手段と、
このユーザ情報受信手段により受信されたユーザ情報に含まれている前記指爪画像に基づいて、爪部形状を検出する爪部形状検出手段と、
この爪部形状検出手段により検出された爪部形状に前記ネイルデザインデータに対応するネイルデザインを合わせ込み、ユーザの爪部形状に応じた合成爪画像を生成する合成爪画像生成手段と、
この合成爪画像生成手段により生成された合成爪画像に基づいて、付け爪を生成する付け爪生成手段と、
を備えていることを特徴とする付け爪サービス提供装置。
【請求項２】
前記合成爪画像生成手段により生成された合成爪画像を前記外部機器にサービス情報として送信するサービス情報送信手段を更に備えていることを特徴とする請求項１に記載の付け爪サービス提供装置。
【請求項３】
前記基準対象物は、コイン、メジャー、撮影の際に用いられる撮影付属部品であることを特徴とする請求項１又は請求項２に記載の付け爪サービス提供装置。
【請求項４】
前記ユーザ情報受信手段は、前記指爪画像とネイルデザインデータとのほかに、ネイル形状の種類を示すネイル形状データを前記外部機器からユーザ情報として受信するものであり、
前記合成爪画像生成手段は、前記爪部形状検出手段により検出された爪部形状を前記ネイル形状データに対応する爪先形状に変形し、かつ、この変形された爪先形状に前記ネイルデザインデータに対応するネイルデザインを合わせ込み、ユーザの爪部形状に応じた合成爪画像を生成するものであることを特徴とする請求項１から請求項３のいずれか一項に記載の付け爪サービス提供装置。
【請求項５】
前記爪部形状検出手段は、ユーザの爪部の立体的な形状を検出するものであり、
前記付け爪生成手段は、前記爪部形状検出手段により検出されたユーザの爪部の立体的な形状に合った立体的な付け爪を生成するものであることを特徴とする請求項１から請求項４のいずれか一項に記載の付け爪サービス提供装置。
【請求項６】
端末装置本体と表示手段とを備えている端末装置において、
寸法の基準となる基準対象物とともにユーザの爪部を含む指爪を撮影して指爪画像を取得する指爪画像取得手段と、
複数のネイル形状を前記表示手段に一覧表示させるネイル形状表示制御手段と、
このネイル形状表示制御手段の制御により前記表示手段に一覧表示されている複数のネイル形状の中から一つのネイル形状を指定する爪先形状指定手段と、
複数のネイルデザインを前記表示手段に一覧表示させるネイルデザイン表示制御手段と、
このネイルデザイン表示制御手段の制御により前記表示手段に一覧表示されている複数のネイルデザインの中から一つのネイルデザインを指定するネイルデザイン指定手段と、
ユーザ情報に基づいて、ユーザの爪部形状に適合し、かつ、前記ネイル形状、前記ネイルデザインが合わせ込まれた合成爪画像を生成し、付け爪サービスを提供する付け爪サービス提供装置に対して、前記指爪画像取得手段により取得された前記指爪画像と、前記爪先形状指定手段により指定された前記ネイル形状を示すネイル形状データと、前記ネイルデザイン指定手段により指定された前記ネイルデザインを示すネイルデザインデータとをユーザ情報として、送信する送信手段と、
この送信手段によりユーザ情報を送信したあとに、前記付け爪サービス提供装置により生成された前記合成爪画像を前記付け爪サービス提供装置から受信する受信手段と、
この受信手段により受信された合成爪画像を前記表示手段に表示させる合成爪画像表示制御手段と、
を備えていることを特徴とする端末装置。
【請求項７】
前記端末装置本体は、電話機能を更に備えている携帯端末装置本体であることを特徴とする請求項６に記載の端末装置。
【発明の詳細な説明】
【技術分野】
【０００１】
本発明は、付け爪サービス提供装置および端末装置に関するものである。
【背景技術】
【０００２】
従来、人の指の爪部に文字や絵柄等のデザイン画像を印刷するネイルプリント装置が知られている（例えば、特許文献１参照）。
ネイルプリント装置は、印刷しようとする爪部を撮影手段で撮影して印刷対象となる爪領域を検出し、この検出された爪領域にユーザが選択したデザイン画像をインクジェット方式の印刷ヘッド等を用いて印刷するものである。
このような装置を用いれば、ネイルサロン等を利用することなく、簡易にネイルプリントを楽しむことができる。
【０００３】
しかしながら、自分の爪部に直接印刷を施す場合には、ユーザは印刷動作の間、指を動かさないように固定したまま待っていなければならず、負担が大きいという問題がある。
また、インクジェット方式の印刷ヘッドを用いて印刷を行う場合、インクミストが爪の周辺に飛散することがあり、印刷の際に指にインクが付着して汚れてしまうおそれもある。
さらに、爪部に直接印刷した場合には、印刷されたデザイン画像を他のものに変えたいと思った場合、除光液等を用いて印刷されている画像を消さなければならず、手間がかかる。このため、服装や気分に合わせて手軽にネイルプリントを変えておしゃれを楽しむことができないという問題もある。
そこで、直接自分の爪部に印刷を行うのではなく、付け替え可能な付け爪（ネイルチップ）を爪部上に貼り付けることで手軽にネイルアートを楽しむことも考えられる。
【先行技術文献】
【特許文献】
【０００４】
【特許文献１】特表２００３−５３４０８３号公報
【発明の概要】
【発明が解決しようとする課題】
【０００５】
しかしながら、従来の付け爪（ネイルチップ）の場合、既成のサイズや形状のものしかないため、ユーザは自分で削る等により自爪の形状に合うように形を整える必要があり手間がかかるという問題があった。
また、ネイルデザインも限られており、ユーザ自身が自由に選ぶことは難しかった。
【０００６】
本発明は以上のような事情に鑑みてなされたものであり、ユーザが自分の指爪画像を撮影し、所望のネイルデザインとともに送るだけで、簡易にユーザ本人の爪部の形状に合い、かつ、好みのネイルデザインの施された合成爪画像の提供及び／又は付け爪（ネイルチップ）の提供を受けることのできる付け爪サービス提供装置および端末装置を提供することを目的とするものである。
【課題を解決するための手段】
【０００７】
前記課題を解決するために、本発明の付け爪サービス提供装置は、
寸法の基準となる基準対象物とともにユーザの爪部を含む指爪を撮影した指爪画像と、ユーザが指定したネイルデザインを示すネイルデザインデータとを外部機器からユーザ情報として受信するユーザ情報受信手段と、
このユーザ情報受信手段により受信されたユーザ情報に含まれている前記指爪画像に基づいて、爪部形状を検出する爪部形状検出手段と、
この爪部形状検出手段により検出された爪部形状に前記ネイルデザインデータに対応するネイルデザインを合わせ込み、ユーザの爪部形状に応じた合成爪画像を生成する合成爪画像生成手段と、
この合成爪画像生成手段により生成された合成爪画像に基づいて、付け爪を生成する付け爪生成手段と、
を備えていることを特徴としている。
【０００８】
また、本発明の端末装置は、
端末装置本体と表示手段とを備えている端末装置において、
寸法の基準となる基準対象物とともにユーザの爪部を含む指爪を撮影して指爪画像を取得する指爪画像取得手段と、
複数のネイル形状を前記表示手段に一覧表示させるネイル形状表示制御手段と、
このネイル形状表示制御手段の制御により前記表示手段に一覧表示されている複数のネイル形状の中から一つのネイル形状を指定する爪先形状指定手段と、
複数のネイルデザインを前記表示手段に一覧表示させるネイルデザイン表示制御手段と、
このネイルデザイン表示制御手段の制御により前記表示手段に一覧表示されている複数のネイルデザインの中から一つのネイルデザインを指定するネイルデザイン指定手段と、
ユーザ情報に基づいて、ユーザの爪部形状に適合し、かつ、前記ネイル形状、前記ネイルデザインが合わせ込まれた合成爪画像を生成し、付け爪サービスを提供する付け爪サービス提供装置に対して、前記指爪画像取得手段により取得された前記指爪画像と、前記爪先形状指定手段により指定された前記ネイル形状を示すネイル形状データと、前記ネイルデザイン指定手段により指定された前記ネイルデザインを示すネイルデザインデータとをユーザ情報として、送信する送信手段と、
この送信手段によりユーザ情報を送信したあとに、前記付け爪サービス提供装置により生成された前記合成爪画像を前記付け爪サービス提供装置から受信する受信手段と、
この受信手段により受信された合成爪画像を前記表示手段に表示させる合成爪画像表示制御手段と、
を備えていることを特徴としている。
【発明の効果】
【０００９】
本発明によれば、ユーザ情報であるユーザの指爪画像、ユーザによって指定されたネイル形状及びネイルデザインを付け爪サービス提供装置に送信することによって、ユーザの爪部形状に適合し、かつ、ネイル形状、ネイルデザインが合わせ込まれた付け爪生成用の合成爪画像がユーザ情報に基づいて生成され、ユーザは簡易にその合成爪画像の提供を受けることができる。
また、ユーザの指爪画像及びユーザによって指定されたネイルデザイン等のユーザ情報に基づいてユーザの爪部形状に適合した付け爪（ネイルチップ）を作成することができる。このため、ユーザは、作成された付け爪（ネイルチップ）の提供を受けることによって、簡易に自分の爪部の形状に合ったネイルアートを楽しむことが可能となるという効果を奏する。
【図面の簡単な説明】
【００１０】
【図１】本発明に係る付け爪サービス提供装置及び端末装置の一実施形態を概念的に示した要部ブロック図である。
【図２】図１の端末装置を構成するデジタルカメラの一例を示す背面図である。
【図３】図１の端末装置を構成する携帯電話機の一例を示す斜視図である。
【図４】図１の端末装置内のＲＯＭのメモリ構成例を示した図である。
【図５】図１の端末装置内のＲＡＭのメモリ構成例を示した図である。
【図６】図１の付け爪サービス提供装置を構成するサービス装置本体の一例を示す正面図である。
【図７】図６のサービス装置本体により生成される合成爪画像の一例を示す平面図である。
【図８】図１の付け爪サービス提供装置を構成するプリンタの一例を示す斜視図である。
【図９】図１の付け爪サービス提供装置内のＲＡＭのメモリ構成例を示した図である。
【図１０】付け爪サービス提供処理のフローチャートである。
【図１１】付け爪サービス提供処理のフローチャートである。
【図１２】付け爪サービス提供処理のフローチャートである。
【図１３】指と指の間に１０円コインを挟んだ状態を示す説明図である。
【図１４】ネイル形状種類一覧画面の一例を示す図である。
【図１５】ネイルデザイン一覧画面の一例を示す図である。
【図１６】付け爪提供サービスの案内画面の一例を示す図である。
【図１７】ユーザ情報送信画面の一例を示す図である。
【図１８】合成爪画像確認画面の一例を示す図である。
【図１９】付け爪サービス提供装置によって生成された付け爪の一例を示す図である。
【図２０】図１９の付け爪をユーザの各指の爪部に貼付する様子を示す図である。
【図２１】付け爪の一変形例をユーザの各指の爪部に貼付した状態を示す図である。
【図２２】撮影付属部品を手で握った状態を示す図である。
【発明を実施するための形態】
【００１１】
図１から図２０を参照しつつ、本発明に係る付け爪サービス提供装置および端末装置の一実施形態について説明する。
本実施形態において、付け爪サービス提供装置および端末装置は、ユーザの端末装置から送られるユーザ情報に基づいて付け爪サービス提供装置がユーザの爪部の形状に合った付け爪を提案、提供する付け爪サービス提供システムを構成するものである。
【００１２】
図１は、本実施形態における付け爪サービス提供装置および端末装置の要部構成を示すブロック図である。
本実施形態において、端末装置１は、ユーザのデジタルカメラや携帯電話機等であり、付け爪サービス提供装置３は、サービス提供サーバであるサービス提供装置本体及びこれに接続されたプリンタである。
付け爪サービス提供装置３及び端末装置１は、ネットワークＮを介して各種情報の送受信可能に構成されている。
【００１３】
まず、本実施形態におけるユーザ側の端末装置１の構成について説明する。
本実施形態では、端末装置１は、端末装置本体１０ａを備えるデジタルカメラ１ａ（図２参照）と端末装置本体１０ｂを備え電話機能を備える携帯電話機１ｂ（図３参照）とを備えて構成されており、図１に示すように、操作部１１、表示部１２、撮影部１３、送受信部１４、及びこれらと接続される制御装置２０等を備えている。
デジタルカメラ１ａ及び携帯電話機１ｂは、Bluetooth（登録商標）等の通信形式により、相互間で各種データの送受信を行うことが可能となっている。なお、デジタルカメラ１ａと携帯電話機１ｂとの間の通信形式は、Bluetooth（登録商標）に限定されない。
【００１４】
端末装置１の操作部１は、デジタルカメラ１ａの操作部１１ａ又は携帯電話機１ｂの操作部１１ｂにより構成されている。
操作部１１は、表示手段である表示部１２に一覧表示されている複数のネイル形状（すなわち、爪先形状）の中から一つのネイル形状（所望の爪先形状）を指定する爪先形状指定手段として機能する。
また、操作部１１は、表示手段である表示部１２に一覧表示されている複数のネイルデザインの中から一つのネイルデザイン（所望のネイルデザイン）を指定するネイルデザイン指定手段として機能する。
【００１５】
本実施形態では、デジタルカメラ１ａのＲＯＭ２２に複数のネイル形状種類のデータ（図４参照）及び複数のネイルデザインのデータ（図４参照）が記憶されている。そして、デジタルカメラ１ａの表示部１２ａに複数のネイル形状の一覧表示（図１４参照）、複数のネイルデザインの一覧表示（図１５参照）が行われるようになっており、デジタルカメラ１ａの操作部１１ａがこれら一覧表示された中から所望のネイル形状及びネイルデザインを指定する爪先形状指定手段、ネイルデザイン指定手段として機能する場合を例として説明する。
なお、携帯電話機１ｂのＲＯＭ２２に複数のネイル形状種類のデータ（図４参照）及び複数のネイルデザインのデータ（図４参照）を記憶させておき、携帯電話機１ｂの表示部１２ｂに複数のネイル形状の一覧表示、複数のネイルデザインの一覧表示が行われるようにしてもよい。この場合には、携帯電話機１ｂの操作部１１ｂが爪先形状指定手段、ネイルデザイン指定手段として機能する。
【００１６】
操作部１１により所望の爪先形状及び所望のネイルデザインを指定・選択する構成は特に限定されないが、例えば、表示部１２に複数のネイル形状の一覧（図１４参照）、複数のネイルデザインの一覧（図１５参照）を表示させた状態で、操作部１１を操作してカーソル等を移動させ、所望の爪先形状及び所望のネイルデザインを選んで決定操作を行うことで、指定・選択することができる。
なお、表示部１２の表面に、タッチパネルが一体的に構成されている場合には、表示部１２に表示された複数のネイル形状の一覧（図１４参照）、複数のネイルデザインの一覧（図１５参照）の中からそれぞれ所望のものを図示しないスタイラスペンや指先等によりタッチして指定・選択できるように構成してもよい。この場合には、表示部１２も操作部１１と同様の機能を備える。
【００１７】
表示部１２は、デジタルカメラ１ａの表示部１２ａ又は携帯電話機１ｂの表示部１２ｂにより構成されている。
表示部１２は、例えば液晶パネル（液晶ディスプレイ（ＬＣＤ：Liquid Crystal Display））等で構成され、各種画面の表示を行う表示手段である。なお、表示部１２は液晶パネルで構成されるものに限定されず、例えば有機ＥＬディスプレイ等であってもよい。
なお、表示部１２の表面に、タッチパネルが一体的に構成されていてもよい。この場合には、図示しないスタイラスペンや指先等により表示部１２の表面をタッチすることによっても各種の入力を行うことができるように構成され、表示部１２も操作部１１と同様の機能を備える。
【００１８】
表示部１２は、具体的には、後述するネイル形状表示制御手段である表示制御部２１１の制御にしたがって複数のネイル形状（爪先形状）を一覧表示させるネイル形状一覧画面（図１４参照）、ネイルデザイン表示制御手段である表示制御部２１１の制御にしたがって複数のネイルデザインを一覧表示させるネイルデザイン一覧画面（図１５参照）等を表示させる表示手段である。
【００１９】
本実施形態では、「ポイント」「オーバル」「ラウンド」「スクエア・オフ」「スクエア」等が選択可能なネイル形状（爪形状）となっており、各ネイル形状の画像のデータが予めＲＯＭ２２等に記憶されている（図４参照）。
図１４に示すように、ネイル形状一覧画面には、これらのネイル形状を示す画像がそれぞれのネイル形状種類番号（図１４においてＮｏ．１〜Ｎｏ．５）とともに一覧表示される。なお画面をスクロール操作すること等により、さらに多くのネイル形状を表示可能となっていてもよい。
ユーザは、操作部１１やタッチパネルが構成された表示部１２の画面を操作することにより複数のネイル形状の中から所望の形状を選択することができる。
【００２０】
また、本実施形態では、「ハート」「顔」「太陽」「月」「星」「ミックス」等が選択可能なネイルデザインＤの画像となっており、各ネイルデザインＤの画像のデータが予めＲＯＭ２２等に記憶されている（図４参照）。
図１５に示すように、ネイルデザイン一覧画面には、これらのネイルデザインＤを示す画像がそれぞれのデザイン番号（図１５においてＮｏ．Ｄ１〜Ｎｏ．Ｄ５）とともに一覧表示される。なお画面をスクロール操作すること等により、さらに多くのネイルデザインＤを表示可能となっていてもよい。
ユーザは、操作部１１やタッチパネルが構成された表示部１２の画面を操作することにより複数のネイルデザインＤの中から所望のデザインを選択することができる。
【００２１】
デジタルカメラ１ａの操作部１１ａによって所望のネイル形状及びネイルデザインが指定（選択）された場合には、指定された所望のネイル形状及びネイルデザインに関する情報が携帯電話機１ｂ等に送信され、携帯電話機１ｂのＲＡＭ２３等に記憶される（図５参照）。
なお、本実施形態では、前述のように、デジタルカメラ１ａの表示部１２ａにネイル形状一覧画面（図１４参照）及びネイルデザイン一覧画面（図１５参照）が表示され、デジタルカメラ１ａの操作部１１ａが、これら表示された中から所望のネイル形状、ネイルデザインを選択する爪先形状指定手段、ネイルデザイン指定手段として機能する場合を例として説明するが、携帯電話機１ｂの表示部１２ｂにネイル形状一覧画面及びネイルデザイン一覧画面を表示させ、携帯電話機１ｂの操作部１１ｂが爪先形状指定手段、ネイルデザイン指定手段として機能する構成としてもよい。
【００２２】
また、表示部１２は、合成爪画像表示制御手段である表示制御部２１１の制御にしたがって外部装置である付け爪サービス提供装置３から受信した合成爪画像（図１８において「合成済み爪部画像」）を表示させる表示手段としても機能する。合成爪画像は、図１８に示すように、合成爪画像に対するユーザの「同意」「不同意」を確認する確認画面に表示され、この確認画面には、同意する旨の「同意ボタン」１２１、不同意である旨の「不同意ボタン」１２２と、「送信ボタン」１２３とが設けられている。
本実施形態では、携帯電話機１ｂの送受信部１４が付け爪サービス提供装置３から合成爪画像を受信し、受信された合成爪画像が携帯電話機１ｂの表示部１２ｂに表示されるようになっている。
なお、合成爪画像を表示させる表示部１２は、携帯電話機１ｂの表示部１２ｂに限定されず、デジタルカメラ１ａの表示部１２ａであってもよい。
【００２３】
その他、表示部１２には、付け爪提供サービスについてその内容を案内するサービス案内画面（図１６参照）や、指爪画像取得手段である撮影部１３により取得された指爪画像と、爪先形状指定手段である操作部１１等により指定されたネイル形状を示すネイル形状データ（所望の爪先形状のデータ）と、ネイルデザイン指定手段である操作部１１等により指定されたネイルデザインを示すネイルデザインデータとをユーザ情報として、付け爪サービス提供装置３に送信するためのユーザ情報送信画面（図１７参照）等が表示される。
図１７に示すように、ユーザ情報送信画面には、データ等を送信する「送信ボタン」１２５、送信するデータ等を変更したい場合に操作して設定画面に戻るための「戻るボタン」１２６等が設けられている。
【００２４】
撮影部１３は、寸法の基準となる基準対象物Ｋ（例えば１０円コイン）とともにユーザの爪部Ｔ（親指から小指までの爪部Ｔ１〜Ｔ５）を含む対象指（親指から小指までの対象指Ｕ１〜Ｕ５、図１３参照）の指爪を撮影して指爪画像を取得する指爪画像取得手段である。
本実施形態では、デジタルカメラ１ａが撮影部１３として機能する。
デジタルカメラは、例えばＣＣＤやＣＭＯＳセンサ等を備えたデジタル式の撮影装置であり、カメラの構成等は一般的なデジタルカメラと同様であるため、その説明を省略する。
本実施形態では、ユーザは、図１３に示すように指Ｕと指Ｕの間等に寸法の基準となる基準対象物Ｋである１０円コインを挟み込んだ状態で、爪部Ｔを含む指先の画像をこのコインとともに撮影する（図２参照）。撮影された指爪画像は、携帯電話機１ｂ等に送信され、携帯電話機１ｂのＲＡＭ２３等に記憶される（図５参照）。
なお、基準対象物Ｋは、当該基準対象物Ｋとの比較においてユーザの指爪の寸法を算出することができるものであればよく、１０円コインに限定されない。例えば、物差し、メジャー等を基準対象物として指爪とともに撮影してもよい。
【００２５】
送受信部１４は、通信制御部２１２の制御にしたがって、撮影部１３により取得された指爪画像と、操作部１１等により指定されたネイル形状を示すネイル形状データ（所望の爪先形状のデータ）及びネイルデザインを示すネイルデザインデータ（所望のネイルデザインのデータ）とを、それぞれ対応付けて、ユーザ情報として、付け爪サービスを提供するための付け爪サービス提供装置３に送信する送信手段である。
また、この送受信部１４によりユーザ情報を送信したあとに、付け爪サービス提供装置３により生成された、ユーザの爪部形状に適合し、かつ、ユーザによって選択されたネイル形状、ネイルデザインが合わせ込まれた合成爪画像を、付け爪サービス提供装置３から受信する受信手段としても機能する。
【００２６】
次に、制御装置２０は、図１に示すように、図示しないＣＰＵ（Central Processing Unit）等によって構成されている制御部２１、記憶手段としてのＲＯＭ（Read Only Memory）２２及びＲＡＭ２３（Random Access Memory）等を備えるコンピュータである。なお、記憶手段は、制御装置２０内のＲＯＭ２２、ＲＡＭ２３に限定されず、他に記憶手段が設けられていてもよい。
【００２７】
この制御部２１は、機能的に見た場合、表示制御部２１１、通信制御部２１２等を備えている。これら表示制御部２１１、通信制御部２１２等としての機能は、ＣＰＵとＲＯＭ２２に記憶されたプログラムとの共働によって実現される。
【００２８】
表示制御部２１１は、表示手段としての表示部１２に各種の表示を表示させる表示制御手段である。本実施形態では、表示制御部２１１は、前述のように各種の選択画面、確認画面、指示画面等を表示部１２に表示させるようになっている。
本実施形態において、表示制御部２１１は、複数のネイル形状を表示手段である表示部１２に一覧表示させるネイル形状表示制御手段として機能する。
また、表示制御部２１１は、複数のネイルデザインを表示部１２に一覧表示させるネイルデザイン表示制御手段として機能する。
さらに、表示制御部２１１は、付け爪サービス提供装置３によって生成された合成爪画像を付け爪サービス提供装置３から受信した際に、受信された合成爪画像を表示部１２に表示させる合成爪画像表示制御手段として機能する。
【００２９】
通信制御部２１２は、送受信部１４を制御して、撮影部１３により取得された指爪画像と、操作部１１等により指定されたネイル形状を示すネイル形状データ（所望の爪先形状のデータ）及びネイルデザインを示すネイルデザインデータ（所望のネイルデザインのデータ）とを、それぞれ対応付けて、ユーザ情報として、付け爪サービスを提供するための付け爪サービス提供装置３に送信させるとともに、この送受信部１４により送信されたユーザ情報に基づいて付け爪サービス提供装置３により生成された、ユーザの爪部形状に適合し、かつ、ユーザによって選択されたネイル形状、ネイルデザインが合わせ込まれた合成爪画像を、送受信部１４により付け爪サービス提供装置３から受信させるようになっている。
【００３０】
また、記憶手段としてのＲＯＭ２２は、端末装置１による撮影処理、表示処理、通信処理等を実行するための各種プログラムが格納されており、これらのプログラムが制御装置２０によって実行されることによって、端末装置１の各部が統括制御されるようになっている。
【００３１】
本実施形態において、ＲＯＭ２２には、選択可能なネイル形状種類のデータ、ネイルデザインの画像データが記憶されている。
図４は、端末装置１のＲＯＭ２２のデータ記憶領域の一例を示したものである。ＲＯＭ２２には、図４に示すように、複数のネイル形状種類のデータ及びネイルデザインの画像データがそれぞれ種類番号とともに記憶されている。
【００３２】
また、本実施形態において記憶手段であるＲＡＭ２３は各種データ等を記憶する記憶領域と制御部２１が各種処理を行う際にプログラム等を展開する作業領域（いずれも図示せず）とを備えている。ＲＡＭ２３の記憶領域には、例えば、ユーザが操作部１１を操作する等により選択されたネイル形状種類、選択されたネイルデザイン、撮影部１３により取得されたユーザの指爪画像（コイン画像を含む）等がそれぞれ対応付けられて記憶されている。
本実施形態では、図５に示すように、ネイル形状種類として種類Ｎｏ．２「オーバル」が選択されており、ネイルデザインとしてデザインＮｏ．Ｄ６「デザインＤ１〜Ｄ５のミックス」が選択された場合を例としている。
【００３３】
次に、本実施形態における付け爪提供サービス装置３の構成について説明する。
本実施形態では、付け爪提供サービス装置３は、例えばサーバを構成するコンピュータであるサービス装置本体３ａ（図６参照）とプリンタ３ｂ（図８参照）とを備えて構成されており、図１に示すように、操作部３１、表示部３２、印刷部３３、送受信部３４、及びこれらと接続される制御装置４０等を備えている。
付け爪提供サービス装置３は、有線方式又は無線方式により、サービス装置本体３ａとプリンタ３ｂとの間で各種データの送受信を行うことが可能となっており、プリンタ３ｂはサービス装置本体３ａから送信されたデータに基づいて印刷を行うようになっている。
【００３４】
付け爪提供サービス装置３の操作部３１は、例えばサービス装置本体３ａに設けられたキーボード等の入力操作手段である。
表示部３２は、例えば液晶パネル（液晶ディスプレイ（ＬＣＤ：Liquid Crystal Display））等で構成され、印刷処理を行う際等に各種表示を行う表示手段である。なお、表示部３２は液晶パネルで構成されるものに限定されない。
なお、表示部３２の表面に、タッチパネルが一体的に構成されていてもよい。この場合には、図示しないスタイラスペンや指先等により表示部３２の表面をタッチすることによっても各種の入力を行うことができるように構成され、表示部３２も操作部３１と同様の機能を備える。
【００３５】
印刷部３３は、後述する爪部形状検出手段である爪部形状検出部４１１により検出された爪部画像（爪部形状）をネイル形状データに対応する爪先形状に変形し、かつ、この変形された爪先形状にネイルデザインデータに対応するネイルデザインを合わせ込むことにより生成された、ユーザの爪部形状に応じた合成爪画像に基づいて、付け爪（ネイルチップ）７０（図７参照）を生成する付け爪生成手段である。
本実施形態では、プリンタ３ｂ（図８参照）が印刷部３３として機能する。プリンタ３ｂは、例えばインクを微滴化し、被印刷媒体に対し直接に吹き付けて印刷を行うインクジェット方式の印刷ヘッド（図示せず）を備えている。なお、プリンタ３ｂの記録方式はインクジェット方式に限定されず、感熱印刷方式などの他の各種の印刷方式が採用可能である。
【００３６】
本実施形態におけるプリンタ３ｂは、例えばイエロー（Ｙ）、マゼンタ（Ｍ）、シアン（Ｃ）、ブラック（Ｋ）、ホワイト（Ｗ）等の基本色インクの他に、コーティング用インクを印刷可能となっていることが好ましい。そしてこのコーティング用インクとしては、例えば紫外線等の光（活性エネルギー線）を照射することにより硬化、乾燥するジェルインクを用いることが好ましい。
光硬化性のジェルインクは、印刷後、図示しない光照射手段により光を照射することによって、光硬化樹脂層を形成することができ、即乾性、即硬化性、耐久性に優れるものである。光硬化性のジェルインクにより形成される光硬化樹脂層は、紫外線等の光（活性エネルギー線）の照射による硬化、乾燥後は、被印刷物である付け爪に、ごつごつとした立体感を与えることができ、かつ、美しい仕上がりを長く維持することができる。
【００３７】
また、本実施形態では、爪部形状検出部４１１は、ユーザの爪部Ｔの立体的な形状を検出するようになっており、付け爪生成手段であるプリンタ３ｂは、爪部形状検出部４１１により検出されたユーザの爪部Ｔの立体的な形状に合った立体的な付け爪７０を生成する。
具体的には、例えば付け爪７０の材料となるシート７を熱処理加工することにより、ユーザの爪部Ｔに合う立体的な形状のチップを生成し、この立体的なチップに対して合成爪画像に基づく画像を印刷する。なお、平面的なシート７上に画像を印刷した後に、各爪部Ｔの形状に合わせて立体加工を施し、シート７から切り離すようにしてもよい。
【００３８】
送受信部３４は、通信制御部４１４の制御にしたがって、ユーザ情報、すなわち寸法の基準となる基準対象物Ｋとともにユーザの爪部Ｔを含む指爪を撮影した指爪画像と、ユーザが指定したネイル形状の種類を示すネイル形状データ及びネイルデザインを示すネイルデザインデータとを外部機器であるユーザの端末装置１から受信するユーザ情報受信手段として機能する。
また、合成爪画像生成手段である合成爪画像生成部４１２により生成された合成爪画像を外部機器であるユーザの端末装置１にサービス情報として送信するサービス情報送信手段として機能する。
【００３９】
次に、制御装置４０は、図１に示すように、図示しないＣＰＵ（Central Processing Unit）等によって構成されている制御部４１、記憶手段としてのＲＯＭ（Read Only Memory）４２及びＲＡＭ４３（Random Access Memory）等を備えるコンピュータである。なお、記憶手段は、制御装置４０内のＲＯＭ４２、ＲＡＭ４３に限定されず、他に記憶手段が設けられていてもよい。
【００４０】
この制御部４１は、機能的に見た場合、爪部形状検出部４１１、合成爪画像生成部４１２、印刷制御部４１３、通信制御部４１４等を備えている。これら爪部形状検出部４１１、合成爪画像生成部４１２、印刷制御部４１３、通信制御部４１４等としての機能は、ＣＰＵとＲＯＭ４２に記憶されたプログラムとの共働によって実現される。
【００４１】
爪部形状検出部４１１は、ユーザ情報受信手段である送受信部３４によりユーザの端末装置１から受信されたユーザ情報としての指爪画像から爪部画像を抽出し、指爪画像に基づいて、爪部形状を検出する爪部形状検出手段である。
具体的には、爪部形状検出部４１１は、指爪画像に含まれている基準対象物Ｋとユーザの爪部とを対比することによってユーザの各対象指Ｕについて爪部Ｔの寸法を算出する。すなわち、１０円コイン等の基準対象物Ｋについては、予めその寸法がＲＯＭ４２等に記録されており、爪部形状検出部４１１は、予め寸法が記憶されている基準対象物Ｋの見かけ上の大きさとユーザの爪部Ｔの見かけ上の大きさとを対比する。その結果、例えば図１３に示すように、ユーザの小指Ｕ５の爪部Ｔ５の幅寸法Ｌ２が基準対象物Ｋである１０円コインの寸法Ｌ１の半分であれば、ユーザの小指Ｕ５の爪部Ｔ５の実際の幅寸法Ｌ２は１０円コインの実寸法の半分であると検出することができる。なお、ユーザの爪部Ｔの寸法を検出する手法はここに例示したものに限定されない。
また、爪部Ｔは、幅方向の中央部分近傍が盛り上がった湾曲形状をしているところ、本実施形態では、例えば爪部Ｔの幅寸法に対応する一般的な爪部Ｔの湾曲度合いのデータをＲＯＭ４２等に予め格納しておき、爪部形状検出部４１１は、このデータを参照することにより、ユーザの爪部Ｔの幅寸法等に応じた湾曲形状を考慮・推測してユーザの爪部Ｔの立体的な形状を検出するようになっている。
爪部形状検出部４１１によって抽出された爪部画像等、ユーザの爪部形状に関するデータはＲＡＭ４３に記憶される（図９参照）。
【００４２】
合成爪画像生成部４１２は、爪部形状検出手段である爪部形状検出部４１１により検出された爪部形状をネイル形状データに対応する爪先形状に変形し、かつ、この変形された爪先形状にネイルデザインデータに対応するネイルデザインを合わせ込むことにより、ユーザの爪部形状に応じた合成爪画像を生成する合成爪画像生成手段である。
合成爪画像生成部４１２により生成された合成爪画像は各対象指ＵごとにＲＡＭ４３等の記憶手段に記憶されるようになっている。
【００４３】
また、印刷制御部４１３は、印刷部３３として機能するプリンタ３ｂの印刷動作を制御するものである。
本実施形態では、印刷制御部４１３は、合成爪画像生成部４１２により生成された合成爪画像に基づく印刷用データをプリンタ３ｂに出力することにより、プリンタ３ｂを制御する。具体的には、立体的な付け爪に対して合成爪画像に従ってネイルデザイン等を印刷し、さらにコーティング用インクによりコーティングを施した上で光を照射してインクを硬化させ、立体的な仕上がりの付け爪を印刷させるようになっている。
【００４４】
通信制御部４１４は、送受信部３４を制御して、寸法の基準となる基準対象物Ｋとともにユーザの爪部Ｔを含む指爪を撮影した指爪画像と、ユーザが指定したネイル形状及びネイルデザインを示すネイルデザインデータとを外部機器であるユーザの端末装置１からユーザ情報として受信させるとともに、合成爪画像生成部４１２により生成された合成爪画像をユーザの端末装置１にサービス情報として送信させるようになっている。
【００４５】
また、記憶手段としてのＲＯＭ４２は、付け爪サービス提供装置３による爪部形状検出処理、合成爪画像生成処理、印刷制御処理、通信制御処理等を実行するための各種プログラムが格納されており、これらのプログラムが制御装置４０によって実行されることによって、付け爪サービス提供装置３の各部が統括制御されるようになっている。
【００４６】
また、本実施形態において記憶手段であるＲＡＭ４３は各種データ等を記憶する記憶領域と制御部４１が各種処理を行う際にプログラム等を展開する作業領域（いずれも図示せず）とを備えている。
本実施形態では、図９に示すように、ＲＡＭ４３の記憶領域には、例えば、ユーザの端末装置１から送信されたユーザの指爪画像、ユーザが指定したネイル形状及びネイルデザインのデータ、爪部形状検出部４１１により検出された爪部画像、合成爪画像生成部４１２により生成された合成爪画像等がそれぞれ対応付けられて記憶されている。
【００４７】
次に、図１０から図１２を参照しつつ、本実施形態における作用について説明する。
付け爪サービス提供システムを利用して自分に合った付け爪７０のイメージを表す合成爪画像の提供及び自分の爪部Ｔの形状に合った付け爪７０の提供を受けたい場合には、ユーザは、デジタルカメラ１ａ等により１０円コイン等の基準対象物Ｋとともに自分の指先の画像を撮影する。図１０に示すように、これにより１０円コイン等の基準対象物Ｋを含むユーザ自身の指爪画像が端末装置１に取得される（ステップＳ１）。撮影された指爪画像は表示部１２に表示されるとともに（ステップＳ２）、ＲＡＭ２３に記憶される（ステップＳ３）。
【００４８】
端末装置１の表示制御部２１１は、ＲＯＭ２２内に記憶されているネイル形状を読み出して、図１４に示すようなネイル形状の一覧表示画面を表示部１２に表示させる（ステップＳ４）。そして、ユーザが操作部１１等を操作することにより１つのネイル形状が指定されると（ステップＳ５）、指定されたネイル形状をＲＡＭ２３に記憶する（ステップＳ６）。さらに、端末装置１の表示制御部２１１は、ＲＯＭ２２内に記憶されているネイルデザイン読み出して、図１５に示すようなネイルデザインの一覧表示画面を表示部１２に表示させる（ステップＳ７）。そして、ユーザが操作部１１等を操作することによりこれら一覧のか中ら１つのネイル形状が指定されると（ステップＳ８）、指定されたネイルデザインをＲＡＭ２３に記憶する（ステップＳ９）。
【００４９】
次に、図１１に示すように、端末装置１を、ネットワークＮを介して付け爪サービス提供装置３に接続すると（ステップＳ１０）、付け爪サービス提供装置３は端末装置１に付け爪提供サービスの案内画面の画像を端末装置１に送信する（ステップＳ１１）。端末装置１は、付け爪サービス提供装置３からサービスの案内画面の画像を受信すると（ステップＳ１２）、これを表示部１２に表示させる（ステップＳ１３、図１６参照）。さらに、端末装置１の表示制御部２１１は、ＲＡＭ２３内に記憶されているユーザが指定したネイル形状の種類、ユーザが指定したネイルデザイン、ユーザの指爪画像を表示部１２に表示させる（ステップＳ１４、図１７参照）。そして、送信ボタンが操作されて送信指示が入力されると（ステップＳ１５）、これらユーザが指定したネイル形状の種類、ユーザが指定したネイルデザイン及びユーザの指爪画像がユーザ情報として端末装置１から付け爪サービス提供装置３に対して送信される（ステップＳ１６）。
【００５０】
付け爪サービス提供装置３は、端末装置１からユーザ情報を受信すると（ステップＳ１７）、これらのユーザ情報をＲＡＭ４３に記憶させる（ステップＳ１８、図９参照）。そして、爪部形状検出部４１１は、ＲＡＭ４３に記憶された指爪画像から爪部画像を抽出し（ステップＳ１９）、これをＲＡＭ４３に記憶させる（ステップＳ２０）。さらに爪部形状検出部４１１は、ＲＡＭ４３に記憶された指爪画像から１０円コインＫの寸法（図１３において「Ｌ１」）を計測し（ステップＳ２１）、この１０円コインＫの寸法（Ｌ１）に基づいて各対象指Ｕの爪部画像の寸法（Ｌ２等）を算出する（ステップＳ２２）。
各対象指Ｕの爪部画像の寸法（Ｌ２等）が算出されると、図１２に示すように、合成爪画像生成部４１２は、爪部形状検出部４１１により検出された爪部形状をネイル形状データに対応する爪先形状に変形し、かつ、この変形された爪先形状にネイルデザインデータに対応するネイルデザインを合わせ込むことにより、ユーザの爪部形状に応じた合成爪画像を生成し（ステップＳ２３）、合成爪画像（合成済み爪部画像）をＲＡＭ４３等の記憶部に記憶させる（ステップＳ２４）。
【００５１】
付け爪サービス提供装置３は、端末装置１に対して合成爪画像（合成済み爪部画像）を送信し（ステップＳ２５）、端末装置１は合成爪画像（合成済み爪部画像）を受信すると（ステップＳ２６）、この合成爪画像を含む合成爪画像確認画面（図１８参照）を表示部１２に表示させる（ステップＳ２７）。表示部に表示された合成爪画像に同意する旨を送信する送信ボタンが操作され、同意の送信指示が入力される（ステップＳ２８）。付け爪サービス提供装置３は、この同意を受信すると（ステップＳ２９）、印刷部３３であるプリンタ３ｂにより、各爪部の合成爪画像に基づいて、図１９に示すような立体的な付け爪（ネイルチップ）７０ａ〜７０ｅを生成する（ステップＳ３０）。
【００５２】
付け爪サービス提供装置３によって生成された付け爪７０は、ユーザの自宅等に宅配便等によって届けられ、ユーザは図２０に示すように、自分の各対象指Ｕ１〜Ｕ５の形状に合った付け爪（ネイルチップ）７０ａ〜７０ｅをそれぞれの指の爪部Ｔ１〜Ｔ５に貼り付ける。
なお、ユーザは所望のネイル形状として各種のものを選択することができ、例えば、ネイル形状種類Ｎｏ．４のスクエア・オフ（図１４参照）をユーザが選択した場合には、例えば、図２１に示すような付け爪（ネイルチップ）７０ａ〜７０ｅをそれぞれの指の爪部Ｔ１〜Ｔ５に貼り付けることができる。付け爪サービス提供装置３に対する１回のアクセスにより複数種類のネイル形状、ネイルデザインを選択して、複数種類の付け爪（ネイルチップ）７０ａ〜７０ｅの提供を受けることができるようにしてもよい。
【００５３】
以上のように、本実施形態によれば、寸法の基準となる基準対象物Ｋとともにユーザの爪部Ｔを含む指爪を撮影した指爪画像と、ユーザが指定したネイル形状を示すネイル形状データ及びネイルデザインを示すネイルデザインデータとを、ユーザ情報としてユーザの携帯電話機１ｂ等から送信すると、付け爪サービス提供装置３は、これらの指爪画像、ネイル形状データ及びネイルデザインデータとを、ユーザ情報として受信し、爪部形状検出部４１１は、指爪画像に基づいて爪部形状を検出するとともに、合成爪画像生成部４１２は、この検出された爪部形状をユーザが指定したネイルデザインデータに対応するネイルデザインを合わせ込み、ユーザの爪部形状に応じた合成爪画像を生成する。そして、付け爪サービス提供装置３は、この合成爪画像に基づいて、付け爪生成手段であるプリンタ３ｂが付け爪（ネイルチップ）７０を生成する。このため、ユーザは指爪画像を撮影し、この指爪画像と所望のネイル形状及びネイルデザインとを付け爪サービス提供装置に送るだけで、簡易に自分の爪部の形状に合った好みの付け爪（ネイルチップ）７０の提供を受けることができる。
そして、ユーザはネイルデザインのみでなく、ネイル形状（爪先形状）についても所望の形状を選択することができるため、よりユーザの好みに合った付け爪７０の提供を受けることができる。
また本実施形態では、爪部形状検出部４１１は、ユーザの爪部Ｔの立体的な形状を検出するものであるため、ユーザの爪部Ｔの立体的な形状に合った立体的な付け爪Ｔを生成することができ、より自分の爪部に合う自然な形状の付け爪の提供を受けることができる。
また、合成爪画像生成部４１２により生成された合成爪画像が、サービス情報として付け爪サービス提供装置３からユーザの端末装置１に送信され、ユーザの端末装置１の表示部１２に表示されるようになっているため、ユーザは自分の希望通りの合成爪画像となっているか否かを事前に確認することができる。
また、ユーザの爪部Ｔの寸法を計測するために指爪画像に含まれる基準対象物Ｋは、コイン、メジャー等であるため、ユーザは身近にあるものを基準対象物Ｋとすることができる。
また、端末装置１は、電話機能を備えている携帯電話機１ｂであるため、別途端末装置を用意せずに、手軽に付け爪サービスの提供を受けることができる。
【００５４】
なお、本実施形態では、端末装置１が、携帯電話機である端末装置本体１ｂと、これとは別体の撮影部１３としてデジタルカメラ１ａとで構成されている場合を例として説明したが、端末装置１の構成は、これに限定されない。
例えば、端末装置１がデジタルカメラ１ａのみで構成されていてもよい。この場合には、例えば、デジタルカメラ１ａを各種無線方式やケーブル、クレードル等を介した有線方式により、直接ネットワークＮに接続して、付け爪サービス提供装置３との間で情報の送受信を行うように構成する。また、この場合にはデジタルカメラ１ａの操作部１１ａが爪先形状指定手段、ネイルデザイン指定手段を構成し、デジタルカメラ１ａの表示部１２ａが表示手段として機能する。
また、例えば端末装置１が電話機能等の他に撮影機能を備えた携帯電話機１ｂのみで構成されていてもよい。この場合には、携帯電話機１ｂの操作部１１ｂが爪先形状指定手段、ネイルデザイン指定手段を構成し、携帯電話機１ｂの表示部１２ｂが表示手段として機能する。
【００５５】
また、本実施形態では、付け爪提供サービス装置３が、サービス装置本体３ａとこれとは別体のプリンタ３ｂとで構成されている場合を例として説明したが、両者が一体となった装置であってもよい。
【００５６】
なお、本実施形態では、基準対象物Ｋとして１０円コイン等を用い、これを指と指の間等に挟み込んだ状態で印刷を行う場合について説明したが、基準対象物はこれに限定されず、例えば、デジタルカメラや携帯電話機等の充電器等、撮影の際に用いられる撮影付属部品を基準対象物として用いてもよい。
この場合には、例えば、図２２に示すように、充電器である撮影付属部品５を手で握るように持った状態で指爪の撮影を行う。ユーザの爪部Ｔ（Ｔ１〜Ｔ５）の寸法は、予め定められている寸法の撮影付属部品５から正確に検出することができる。また、図２２において一点鎖線で示すように、各指先の先端面（爪部Ｔの湾曲度合い等も含む）とともに、撮影付属部品５を撮影すれば、ユーザの爪部Ｔがどの程度湾曲しているか、中央部分がその程度盛り上がっているか等、爪部Ｔの立体的な特徴を適切に把握することができる。このため、このようにして撮影した画像を、前述のようなコイン等とともに撮影された平面的な画像とともに付け爪提供サービス装置３に、ユーザの指爪画像として送信することにより、ユーザの爪部Ｔの湾曲度合い等をより正確に把握することができ、爪部の一般的な湾曲に従ってユーザの爪部の湾曲を推定して立体的な付け爪を生成する場合よりも、より爪部Ｔの立体的な特徴まで忠実に再現した付け爪７０を作成して、ユーザに提供することができる。
【００５７】
また、本実施形態では、ユーザ情報に、寸法の基準となる基準対象物Ｋとともにユーザの爪部Ｔを含む指爪を撮影した指爪画像と、ユーザが指定したネイル形状の種類を示すネイル形状データ、及びユーザが指定したネイルデザインを示すネイルデザインデータが含まれている場合を例としたが、ユーザ情報はこれら全てを含む必要はない。例えば、ユーザが指定したネイル形状の種類を示すネイル形状データを含まないものであってもよい。この場合には、合成爪画像の生成及び付け爪７０の生成は、例えば指爪画像に表れているユーザの現状の爪部Ｔの形状にそのまま合わせて行ってもよいし、デフォルトで定められているネイル形状に基づいて行われてもよい。
また、本実施形態で例示した以外の情報がユーザ情報に含まれるようにしてもよい。
【００５８】
その他、本発明が本実施形態に限定されず、適宜変更可能であることはいうまでもない。
【００５９】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
寸法の基準となる基準対象物とともにユーザの爪部を含む指爪を撮影した指爪画像と、ユーザが指定したネイルデザインを示すネイルデザインデータとを外部機器からユーザ情報として受信するユーザ情報受信手段と、
このユーザ情報受信手段により受信されたユーザ情報に含まれている前記指爪画像に基づいて、爪部形状を検出する爪部形状検出手段と、
この爪部形状検出手段により検出された爪部形状に前記ネイルデザインデータに対応するネイルデザインを合わせ込み、ユーザの爪部形状に応じた合成爪画像を生成する合成爪画像生成手段と、
この合成爪画像生成手段により生成された合成爪画像に基づいて、付け爪を生成する付け爪生成手段と、
を備えていることを特徴とする付け爪サービス提供装置。
＜請求項２＞
前記合成爪画像生成手段により生成された合成爪画像を前記外部機器にサービス情報として送信するサービス情報送信手段を更に備えていることを特徴とする請求項１に記載の付け爪サービス提供装置。
＜請求項３＞
前記基準対象物は、コイン、メジャー、撮影の際に用いられる撮影付属部品であることを特徴とする請求項１又は請求項２に記載の付け爪サービス提供装置。
＜請求項４＞
前記ユーザ情報受信手段は、前記指爪画像とネイルデザインデータとのほかに、ネイル形状の種類を示すネイル形状データを前記外部機器からユーザ情報として受信するものであり、
前記合成爪画像生成手段は、前記爪部形状検出手段により検出された爪部形状を前記ネイル形状データに対応する爪先形状に変形し、かつ、この変形された爪先形状に前記ネイルデザインデータに対応するネイルデザインを合わせ込み、ユーザの爪部形状に応じた合成爪画像を生成するものであることを特徴とする請求項１から請求項３のいずれか一項に記載の付け爪サービス提供装置。
＜請求項５＞
前記爪部形状検出手段は、ユーザの爪部の立体的な形状を検出するものであり、
前記付け爪生成手段は、前記爪部形状検出手段により検出されたユーザの爪部の立体的な形状に合った立体的な付け爪を生成するものであることを特徴とする請求項１から請求項４のいずれか一項に記載の付け爪サービス提供装置。
＜請求項６＞
端末装置本体と表示手段とを備えている端末装置において、
寸法の基準となる基準対象物とともにユーザの爪部を含む指爪を撮影して指爪画像を取得する指爪画像取得手段と、
複数のネイル形状を前記表示手段に一覧表示させるネイル形状表示制御手段と、
このネイル形状表示制御手段の制御により前記表示手段に一覧表示されている複数のネイル形状の中から一つのネイル形状を指定する爪先形状指定手段と、
複数のネイルデザインを前記表示手段に一覧表示させるネイルデザイン表示制御手段と、
このネイルデザイン表示制御手段の制御により前記表示手段に一覧表示されている複数のネイルデザインの中から一つのネイルデザインを指定するネイルデザイン指定手段と、
ユーザ情報に基づいて、ユーザの爪部形状に適合し、かつ、前記ネイル形状、前記ネイルデザインが合わせ込まれた合成爪画像を生成し、付け爪サービスを提供する付け爪サービス提供装置に対して、前記指爪画像取得手段により取得された前記指爪画像と、前記爪先形状指定手段により指定された前記ネイル形状を示すネイル形状データと、前記ネイルデザイン指定手段により指定された前記ネイルデザインを示すネイルデザインデータとをユーザ情報として、送信する送信手段と、
この送信手段によりユーザ情報を送信したあとに、前記付け爪サービス提供装置により生成された前記合成爪画像を前記付け爪サービス提供装置から受信する受信手段と、
この受信手段により受信された合成爪画像を前記表示手段に表示させる合成爪画像表示制御手段と、
を備えていることを特徴とする端末装置。
＜請求項７＞
前記端末装置本体は、電話機能を更に備えている携帯端末装置本体であることを特徴とする請求項６に記載の端末装置。
【符号の説明】
【００６０】
１      端末装置
１ａ    デジタルカメラ
１ｂ    携帯電話機
２      付け爪サービス提供装置
２ａ    サービス提供装置本体
２ｂ    プリンタ
２０    制御部
２２    ＲＯＭ
２３    ＲＡＭ
４０    制御部
４２    ＲＯＭ
４３    ＲＡＭ
７０    付け爪（ネイルチップ）
２１１  表示制御部
４１１  爪部形状検出部
４１２  合成爪画像生成部
４１３  印刷制御部
Ｋ      基準対象物
Ｔ（Ｔ１〜Ｔ５）      爪部
Ｕ（Ｕ１〜Ｕ５）    対象指
【図１】
2012232042.tif 000003
【図２】
2012232042.tif 000004
【図３】
2012232042.tif 000005
【図４】
2012232042.tif 000006
【図５】
2012232042.tif 000007
【図６】
2012232042.tif 000008
【図７】
2012232042.tif 000009
【図８】
2012232042.tif 000010
【図９】
2012232042.tif 000011
【図１０】
2012232042.tif 000012
【図１１】
2012232042.tif 000013
【図１２】
2012232042.tif 000014
【図１３】
2012232042.tif 000015
【図１４】
2012232042.tif 000016
【図１５】
2012232042.tif 000017
【図１６】
2012232042.tif 000018
【図１７】
2012232042.tif 000019
【図１８】
2012232042.tif 000020
【図１９】
2012232042.tif 000021
【図２０】
2012232042.tif 000022
【図２１】
2012232042.tif 000023
【図２２】
2012232042.tif 000024